(57)【要約】【課題】簡単な構成により、簡単な構造で、ＬＥＤを用いたトンネル用照明装置の配光特性を向上させ、トンネル内の取付け面も照明可能な配光パターンを得ることができるようにする。【解決手段】器具容器（１４）と、前方を覆うレンズ素子部（１７）を設けた透光性カバー（１２）と、両者で形成される内部空間（１８）と、ＬＥＤ光源ユニット（１１）とを備える。透光性カバーは底部（１２１）と筒部（１２２）からなり、底部（１２１）の中央領域の内面には断面三角状のプリズム群（６）を構成し、外側面に凸状プリズム（８）を構成する。筒部近傍には、内面反射部（１２３）を設ける。内面反射部はＬＥＤ光源ユニットからの照射光を筒部を通して照明装置を取り付けた接地面に向かって反射させる。これにより、積極的に反射鏡を設けなくても、明るさムラを低減した配光パターンを得ることができ、また、設置面も照らすトンネル用照明装置を提供する。【選択図】図３
2013201068.tif 000002
【特許請求の範囲】
【請求項１】
器具容器と、器具容器の前方を覆う透光性カバーと、器具容器と透光性カバーとで形成される内部空間内に配置されるＬＥＤ光源ユニットとを備え、
前記透光性カバーは、器具容器の開口縁部に取り付けられ器具容器前方側に伸びる筒部と、透光性カバー底部からなる器具方向前方に向かって凸とした有底筒形状とされ、
前記ＬＥＤ光源ユニットは、前記透光性カバー底部の内面に対向する基板表面上に複数のＬＥＤ素子が実装されており、
前記透光性カバー底部の前記ＬＥＤ素子の光軸前方には、空気層を介して入射側レンズカットおよび出射側レンズカットを備えたレンズ素子部と、
前記ＬＥＤ光源ユニットに搭載された複数のＬＥＤ素子の中で、前記透光性カバーの筒部に近いＬＥＤ素子の光軸と、当該ＬＥＤ素子と筒部との間に位置する透光性カバー底部には、当該筒部に向かって反射する内面反射部とが形成されている、ことを特徴とするトンネル用照明装置。
【請求項２】
前記内面反射部は、前記透光性カバー底部の内面に設けた断面三角状のプリズムカットの前記ＬＥＤ素子に対向する入射面と、前記透光性カバー底部の外側に位置する反射面を備え、当該入射面から入射して当該反射面にて反射した光が、前記筒部を通って器具容器後方側に向かって斜めに反射することをことを特徴とする請求項１に記載のトンネル用照明装置。
【請求項３】
前記入射側レンズカットは、他のＬＥＤ素子前方に位置する入射側レンズカットと平行な断面三角状のプリズム群を構成し、
前記出射側レンズカットは、対応する入射側レンズカットの前記プリズム群に対応する範囲内に連続曲面からなる凹凸プリズムを構成し、
前記レンズ素子部は、入射側レンズカットおよび出射側レンズカットが透光性樹脂により一体に形成されており、
前記入射側レンズカットの断面三角状のプリズム群は、入射側レンズカットと出射側レンズカットの間の基準平面に対し実質的に同一の鋭角となる平面と、前記基準平面と直交する平面に対し前記ＬＥＤ素子から離れるに従って大きくなる鋭角となる平面を有していることを特徴とする請求項２に記載のトンネル用照明装置。
【発明の詳細な説明】
【技術分野】
【０００１】
この発明は、トンネル内にて路面を照らす照明装置、特に地下水路、電気・電話の配線用洞道、地下鉄等の洞道照明灯に関するものである。
【背景技術】
【０００２】
従来から高速道路、一般道路、地下水路、電気・電話の配線用洞道、地下鉄等のトンネル内にはトンネル内を照らす照明装置が設置されている。近年では光源として蛍光灯光源のみでなくＬＥＤ（発光ダイオード）を用いたトンネル用照明装置も提案されている。特許文献１は複数個の発光ダイオードを配設した樹脂板上を金属ケース内部に固定し、それを覆う透明カバーと透明カバー上部に設けた反射板を設けた照明装置をトンネル内壁に設けている。しかし多数のＬＥＤを平板上にマトリクス状に配置したＬＥＤユニットから照射される配光特性をそのまま利用したものに過ぎず、多数のＬＥＤを使用しなければならなかった。
【０００３】
上記問題を解決するために出願人は特許文献２を提案した。特許文献２は、器具容器と、前方を覆うレンズ素子部を設けた透光性カバーと、両者で形成される内部空間とを有し、内部空間内にはＬＥＤ光源ユニットを備え、ＬＥＤ光源ユニットは複数のＬＥＤ素子が非ドットマトリクス状に点在して配置され、入射側レンズカットは平行な断面三角状のプリズム群を構成し、出射側レンズカットは凸状プリズムを構成し、断面三角状のプリズム群は、基準平面に対し実質的に同一の鋭角となる平面としたトンネル用照明装置である。これにより、積極的に反射鏡を設けなくても、明るさムラを低減した配光パターンを得ることができる。
【先行技術文献】
【特許文献】
【０００４】
【特許文献１】特開２００２−３２４４０８号公報
【特許文献２】特開２０１０−２６２８１８号公報
【発明の概要】
【発明が解決しようとする課題】
【０００５】
しかしながら、特許文献２に記載のトンネル用照明装置では、透光性カバーの正面方向への光照射とする配光パターンとしたため、トンネル用照明装置を取り付けた壁面が暗くトンネル用照明装置を取り付けた壁面の状態を確認できないという問題がある。
【０００６】
そこで、本発明は上記問題に鑑みてなされたもので、その目的とするところは、ＬＥＤ光源を用いたトンネル用照明装置の取り付け面の照明も可能とし、配光特性を向上したトンネル用照明装置を提供することにある。
【課題を解決するための手段】
【０００７】
上記目的を達成するため、本発明に係るトンネル用照明装置は、
器具容器と、器具容器の前方を覆う透光性カバーと、器具容器と透光性カバーとで形成される内部空間内に配置されるＬＥＤ光源ユニットとを備え、
前記透光性カバーは、器具容器の開口縁部に取り付けられ器具容器前方側に伸びる筒部と、透光性カバー底部からなる器具方向前方に向かって凸とした有底筒形状とされ、
前記ＬＥＤ光源ユニットは、前記透光性カバー底部の内面に対向する基板表面上に複数のＬＥＤ素子が実装されており、
前記透光性カバー底部の前記ＬＥＤ素子の光軸前方には、空気層を介して入射側レンズカットおよび出射側レンズカットを備えたレンズ素子部と、
前記ＬＥＤ光源ユニットに搭載された複数のＬＥＤ素子の中で、前記透光性カバーの筒部に近いＬＥＤ素子の光軸と、当該ＬＥＤ素子と筒部との間に位置する透光性カバー底部には、当該筒部に向かって反射する内面反射部とが形成されている、ことを特徴とする。
【０００８】
さらに、前記内面反射部は、前記透光性カバー底部の内面に設けた断面三角状のプリズムカットの前記ＬＥＤ素子に対向する入射面と、前記透光性カバー底部の外側に位置する反射面を備え、当該入射面から入射して当該反射面にて反射した光が、前記筒部を通って器具容器後方側に向かって斜めに反射することをことを特徴とする。
さらに、前記入射側レンズカットは、他のＬＥＤ素子前方に位置する入射側レンズカットと平行な断面三角状のプリズム群を構成し、前記出射側レンズカットは、対応する入射側レンズカットの前記プリズム群に対応する範囲内に連続曲面からなる凹凸プリズムを構成し、前記レンズ素子部は、入射側レンズカットおよび出射側レンズカットが透光性樹脂により一体に形成されており、前記入射側レンズカットの断面三角状のプリズム群は、入射側レンズカットと出射側レンズカットの間の基準平面に対し実質的に同一の鋭角となる平面と、前記基準平面と直交する平面に対し前記ＬＥＤ素子から離れるに従って大きくなる鋭角となる平面を有していることを特徴とする
【発明の効果】
【０００９】
本発明のトンネル用照明装置は、簡単な構造で、ＬＥＤを用いたトンネル用照明装置の配光特性を向上したトンネル用照明装置に適した配光パターンを得ることができる、という利点がある。
【００１０】
また、請求項２に記載の発明によれば、簡単な構造で照明装置を取り付けたトンネル内壁の取付け面を、ＬＥＤからの出射光のうち輝度の低い光を用いて照射することができる、という利点がある。
【００１１】
請求項３に記載の発明によれば、入射側レンズカットによる光束損失を低減して、ＬＥＤからの光の利用効率を高めたトンネル用照明装置を得ることができるという利点がある。
【図面の簡単な説明】
【００１２】
【図１】図１は本実施形態のトンネル用照明装置の一例を示す側面図である。
【図２】図２は図１の照明装置をトンネル天井に設置した状態における垂直平面断面図である。
【図３】図３は図２のＢ部を拡大して示す断面図である。
【図４】図４は図３のトンネル用照明装置のＬＥＤ素子およびレンズ素子部を模式的に拡大して示す断面図である。
【図５】図５は図３のトンネル用照明装置のトンネル内に設置した場合における通路の配光特性を示す説明図である。
【図６】図６は図３のトンネル用照明装置をトンネル内に設置した状態における配光特性を示す説明図である。
【図７】図７はＬＥＤ光源ユニット１１のＬＥＤ素子１と重ね合わせてプリズム群６，７の設定範囲を示したものである
【図８】図８は入射側レンズカットの設計手順を説明するための模式的な断面図である。
【図９】図９は出射側レンズカットの設計手順を説明するための模式的な断面図である。
【発明を実施するための形態】
【００１３】
以下、本発明の一実施形態である電気・電話等の配線用洞道に設けるトンネル用照明装置について図１〜図９を参照しながら説明する。
【００１４】
図１は本実施形態のトンネル用照明装置の一例を示す側面図、図２は図１の照明装置をトンネル天井に設置した状態における垂直平面断面図、図３は図２のＢ部を拡大して示す断面図である。
トンネル用照明装置１０（以下、単に照明装置と略する）は、照射方向前方が開放した器具容器１４と、当該器具容器１４内に配設したＬＥＤ光源ユニット１１と、器具容器１４の前方開口部を覆う透光性カバー１２とを備え、透光性カバー１２のＬＥＤ光源ユニット１１と対向する位置にはレンズ素子部１７が設けられている。また、器具容器１４の内面でＬＥＤ光源ユニット１１の背面側には点灯制御装置１９が設けられている。トンネルは、高湿度環境や高温環境の場所に設けられたり、冠水することもあり得るため、使用する照明灯もそれらに耐える様、強度、防水性に優れたものとすることが好ましく、ＬＥＤ光源ユニット１１および点灯制御装置１９を防水ケース内に収めらた防浸型照明灯とすることが好適である。
【００１５】
ＬＥＤ光源ユニット１１が点灯すると、該ユニット１１から放射された光はレンズ素子部１７に入射し、レンズ素子部１７にて屈折されて図６に示すような略楕円状の配光パターン８６をなす。ここで、略楕円状の配光パターンとは、トンネル内の被照射物である通路に沿ったトンネルの長さ方向が長い配光パターンをいう。略楕円状の配光パターンとすることで円形の配光パターンに比べて通路以外の不要な部位への照射が低減され、発光の利用効率が改善されている。図４は図３の照明装置のＬＥＤ素子およびレンズ素子部を模式的に拡大して示す断面図、図５は図３の照明装置のトンネル内に設置した場合における通路の配光特性を示す説明図、図６は図３の照明装置をトンネル内に設置した状態における配光特性を示す説明図である。また、図７はＬＥＤ光源ユニット１１のＬＥＤ素子１と重ね合わせてプリズム群６，７の設定範囲を示したものである。
【００１６】
器具容器１４は、金属からなり、照射方向前方が開放した函状もしくは板状とされ、当該容器に取付ける透光性カバーとで内部空間１８を形成する。器具容器１４の裏面側は、トンネルの壁面３１に取付けた取り付け具８１に図示しないネジ等の公知の手段で取り付け可能とされている。図１の例では、器具容器１４を函形状とし、周囲に断面Ｕ字状としたシール溝１４ａを設けている。
【００１７】
透光性カバー１２は、アクリル、ポリカーボネートなどの透明樹脂からなり、周縁が器具容器１４と気密的に結合される。透光性カバー１２はトンネル天井に照明装置１０を取付けた状態においてカップ形状となる有底筒形状に成形し、開口側端部となる周縁にシール脚１２ａを設ける。前記シール溝１４ａ内にホットメルト等の接着剤を供給した後に、シール脚１２ａを圧入して接着固定する。接着剤を用いる代わりにゴムパッキン等を介して両者を嵌合させ、金属クリップなどで器具容器１４と透光性カバー１２を挟むことで気密的に結合するものでも良い。シール脚１２ａは筒部１２２の先端側に一体に形成し、透光性カバー底部１２１には設けない。
【００１８】
ＬＥＤ光源ユニット１１は前記内部空間１８に配設される。図５はＬＥＤ光源ユニット１１を模式的に示す平面図である。図４は図のＣＣ線断面に対応する。ＬＥＤ光源ユニット１１は、給電用の配線パターンを形成したガラスエポキシ基板もしくはセラミック基板または金属基板等からなるＬＥＤ搭載基板２と、当該基板上に電気的および機械的に接続した複数のＬＥＤ素子１からなる。ＬＥＤ搭載基板２は熱伝導性および表面高反射率のものが好適である。ＬＥＤ光源ユニット１１の放熱性を高められ、また透光性カバー１２からの内面反射などによる設計外の光をも有効に利用するためである。ＬＥＤ素子１は、例えば表面実装タイプのものとされ、その光軸Ａが照明装置１０の照射方向、すなわち図１および図２においては紙面下側を向くように設置される。
【００１９】
ＬＥＤ素子１は、半値全幅９０°から１７０°のランバーシアン特性を示す矩形の表面実装タイプ、特にＬＥＤチップの周囲に出射側に拡開するものが好適である。半値全幅が９０°より小さいとＬＥＤ素子１から斜め方向に向かう光束が少ないため後述するレンズ素子部１７の屈折を大きくしなければならずレンズ素子部の形成が困難になるからである。また、半値全幅が１７０°より大きいとＬＥＤ素子１直下、すなわち光軸上の輝度が相対的に低くなるからである。好適には半値全幅が１００°から１４０°のものを用いると後述する内面反射部１２３により照明装置１０を取り付けたトンネル内面を照明することができる。また、各々のＬＥＤ素子１は非ドットマトリクス状に点在して配置する。点在して設けることでＬＥＤ素子の使用数を低減することができる。
【００２０】
次にＬＥＤ光源ユニット１１から照射される光を所定の配光とするためのレンズ素子部１７および内面反射部１２３について説明する。
【００２１】
最初に内面反射部１２３から説明する。内面反射部１２３は、筒部１２２近傍の透光性カバー底部１２１に設ける。具体的には、図３に示したように筒部１２２と、その筒部１２２にもっとも近いＬＥＤ素子１１ａの光軸Ａａとの間に位置する透光性カバー底部１２１に透光性カバーと一体に形成する。
【００２２】
内面反射部１２３は、図３に示すように透光性カバー底部１２１の内面に設けた複数の断面三角状のプリズムカット１２３ａと透光性カバー底部１２１の外側の反射面１２３ｂとで構成される。プリズムカット１２３ａは、ＬＥＤ素子１１ａから出射した光軸Ａａから離れた斜め方向に出射する光の一部（光線Ｌ２，Ｌ３）を、透光性カバー底部１２１の内部に入射しやすくするために入射角を臨界角よりも小さくするために設ける。すなわち、プリズムカット１２３ａのＬＥＤ素子１１ａ側の入射面１２３ａ１がＬＥＤ素子１１ａに向かって起き上がるようにする。また他方の辺１２３ｂは隣接するプリズムカット１２３の影になるようにする。このようにすることでＬＥＤ素子１１ａからの直射光を表面１２３ｂにて反射することがなくなるからである。
【００２３】
内面反射部１２３の透光性カバー底部外側の反射面１２３ｂは、プリズムカットのＬＥＤ素子側入射面１２３ａ１から、透光性カバー底部１２１内部に入射した光線Ｌ２およびＬ３が、透光性カバー底部外側の反射面１２３ｂと空気との界面において反射光成分が多く生じる反射面である。界面反射した光は筒部１２２に向かって、より具体的には筒部１２２に通って器具容器後方側に向かうように斜め上方に反射するように進行する。なお、本実施の形態においては筒部１２２の外面に凹凸を設けた外側拡散面１２２ａとしている。拡散面とすることで、筒部外側拡散面１２２ａから空気中に向かう光は拡散して進行する。これにより、筒部１２２およびその上方に位置するトンネル内の照明装置を取り付けた面を照明することができる。なお、筒部１２２に外側拡散面１２２ａを設けずに素通し面としても良い。
【００２４】
主配向形成用領域１２４について説明する。主配向形成用領域１２４は、ＬＥＤ光源ユニット１１と対向している領域で、内面反射部１２３よりも透光性カバー底部１２１の中央よりの位置に設ける。なお、本実施形態においては透光性カバー１２と一体に形成したレンズ素子部１７が主配向形成用領域１２４となる。
【００２５】
レンズ素子部１７は、ＬＥＤ光源ユニット１１と対向する面側に入射側レンズカット５と、これと反対側の面に設けた出射側レンズカット７とが同一材料にて一体に形成されている。これにより入射側レンズカット５から入射した光が出射側レンズカット７から出射するまでの間の光の減衰を抑制することができる。また、レンズ素子部１７を多くの段差を有する入射側レンズカット５と曲面状の出射側レンズカット７という、異なる性質を持ったレンズカットの組み合わせとすることで、ＬＥＤ光源ユニット１１を直視にて観察しにくいものとすることができ、ＬＥＤ素子１のギラツキ感を抑制することができる。
【００２６】
入射側レンズカット５は、レンズ素子部１７の前記内部空間１８側表面に多数形成され、ＬＥＤ光源ユニット１１との間に空気層１５が存在する。また、断面三角状の入射側プリズム群６を構成する。プリズム６Ｌ１、６Ｌ２、６Ｌ３、６Ｒ１、６Ｒ２、６Ｒ３の各々が断面三角状となる三角柱とされ、前記したトンネル８０内の被照射物である通路８２の長さ方向Ｌ、すなわち、トンネルの長さ方向に連続して並設している。図４における符号Ｌが、図５における通路の長さ方向Ｌに対応する。また、光軸Ａの左側の三角状プリズム６Ｌ１、６Ｌ２および６Ｌ３と、右側の三角状プリズム６Ｒ１、６Ｒ２および６Ｒ３とは、光軸Ａを通り長さ方向Ｌと直交する平面を基準として鏡面対象の形状とされている。鏡面対象とすることで通路長さ方向における配光パターンの均一性を容易に高めることができる。
【００２７】
出射側レンズカット７は、前記内部空間１８と反対側となるレンズ素子部１７の表面に多数形成され、出射側プリズム群８を構成する。プリズム７Ｌ１および７Ｒ１の各々は凸形状のプリズムとされる。また、光軸Ａと交差する点がプリズム７Ｌ１とプリズム７Ｒ１の境界となり、凹部７ｃとされる。これにより出射側プリズム群８は連続曲面からなる凹凸面の表面とされる。さらに、出射側プリズム群８の面積は、これに対応する入射側プリズム群６よりも広い面積とされる。出射側プリズム群８の面積を大きくすることで、入射側プリズム群に入射した光をより効率よく外部に取り出すことが可能となる。
【００２８】
入射側プリズム群６および出射側プリズム群８を設ける領域は、各ＬＥＤ素子１の光軸上およびこれを中心とした所定の角度範囲、具体的には少なくともＬＥＤ素子１の半値全幅に対応する範囲内に設ける。図７はＬＥＤ光源ユニット１１のＬＥＤ素子１と重ね合わせてプリズム群６，７の設定範囲を示したものである。図７における符号６Ｅは入射側プリズム群６の各々の三角柱形状の入射側レンズカット５の稜線であり、通路８２の長さ方向Ｌと直交する。
【００２９】
また、出射側プリズム群８は、入射側プリズム群６を設ける領域と同一もしくはこれよりも広い面積とする。入射側プリズム群よりも広い面積に設けることで、配光パターンの明るさムラを低減することができるからである。
【００３０】
入射側レンズカット５の詳細について図８および図９を参照して設計手順に沿って説明する。
最初に、ＬＥＤ素子１のＬＥＤ発光部１Ｈの最表面との距離Ｄ、ＬＥＤ素子１の中心を通る光軸Ａを設定する。ＬＥＤ素子１の発光特性、距離Ｄ、レンズカットを設ける領域の広さおよび加工精度を考慮してカット数およびピッチを設定する。この例では光軸Ａに対して左側のプリズム６Ｌ１、６Ｌ２、６Ｌ３、・・６Ｌ１０の計１０個のプリズム、右側にプリズム６Ｒ１、６Ｒ２、６Ｒ３、・・６Ｒ１０の計１０個のプリズムを同一ピッチにて設ける。ＬＥＤ素子発光部１Ｈの最表面の左側端部をＨＬ、右側端部をＨＲとする。
【００３１】
各プリズム６Ｌ１、６Ｌ２、６Ｌ３等のピッチはＬＥＤ発光部１Ｈの幅と略同一とする。具体的には、ＬＥＤ発光部１Ｈの幅に対して２倍を超えるピッチとすると入射側レンズカット５の各々の大きさが大きくなり、明るさのムラが目立ち易くなる。同様に０．４倍よりも小さくなると、各々のプリズムが小さくなり精密なプリズムを作成するために製造コストが高くなるからである。さらに好ましくは、ＬＥＤ発光部１Ｈの幅に対して０．８倍から１．２倍の範囲の大きさとすると良い。この範囲の場合にはＬＥＤ素子および各プリズム群の加工をコストを上げることなく実施できるからである。
【００３２】
各々のプリズムは次のようにする。なお、光軸Ａを中心として左右対称に設計するので、以下の説明では左側のみ説明する。
各々のプリズム６Ｌ１、６Ｌ２、６Ｌ３、・・６Ｌ１０は通路の長さ方向Ｌ（基準平面）に沿った断面が三角形状となる三角柱状カットとする。各々の稜線６Ｅを中心にして左側の斜面５ａと右側の斜面５ｂを備える。図８においては左側１０個目のプリズム６Ｌ１０についてのみ符号を付してある。左側斜面５ａはＨＬと各々の稜線６Ｅとを結んだ各々の光路と略並行となるように設定することが好適である。図８においては６Ｌ３、６Ｌ４，６Ｌ５のプリズムの各々の左側斜面５ａはそれぞれ光路Ｂ３，Ｂ４，Ｂ５と略並行とした状態を示す。従って、ＬＥＤ素子１から離れるに従って、プリズムの斜面の角度カバー１２表面と平行、すなわちＬ（基準平面）に近ずく。一方、右側斜面５ｂは一定、例えばＬに対して１５度とする。
【００３３】
このようにすることで、断面三角状の入射側プリズム群６は、入射側レンズカットと出射側レンズカットの間の基準平面に対し実質的に同一の鋭角となる平面、すなわち右側斜面５ｂ（光軸Ａの右側においては左側斜面）と、前記基準平面と直交する平面（光軸Ａと平行は平面）に対し前記ＬＥＤ素子から離れるに従って大きくなる鋭角平面、すなわち左側斜面５ａ（光軸Ａの右側においては右側斜面）を備える。これにより、容易にプリズム接続面の光束損失を防ぐことができる。
【００３４】
次に出射側レンズカット７を設計する。出射側レンズカット７は、左側１個目から１０個目までの領域に対応する範囲にわたって曲面プリズムカット７Ｌ１とし、右側１個目から１０個目までの領域に対応する範囲にわたって曲面プリズムカット７Ｒ１を設ける。
左側端部をＨＬから出射する光線および右側端部をＨＲから出射する光線の双方について上記入射側レンズカット５に入射したときの光路を検討し、各々の左側の入射側プリズム６Ｌ１、６Ｌ２、６Ｌ３、・・６Ｌ１０の配光パターンが図９に示すように一部が重なるように曲率を設定する。また、この曲率を基準として滑らかな表面となるようにする。これにより連続曲面とし、明るさムラを低減した凸状プリズムを形成することが出来る。
【００３５】
上述のように設計することで、入射側プリズム群６においてはプリズム接続面の光束損失を防ぐことができる。また、出射側プリズム群８においては光源直下で凹状の曲線部、光源より最も遠い部位で、レンズ基本肉厚につながる凹状の曲線部を形成し、なめらかな照射パターンを生じる。この凸状のプリズムは、連続曲面とし、明るさムラの無い配光パターンを実現することができる。
【００３６】
このようにして、本発明によれば各ＬＥＤ素子１に積極的に反射鏡を設けなくても、明るさムラを低減したＬＥＤ照明装置を得ることができ、トンネル内を効率良く照射することができる。また、照明装置は、ＬＥＤの長寿命を活かし、メンテナンスが不要な照明灯とすることにより、光源交換が不要なため、構造が簡単に出来るメリットがある。また、光源が点光源に近いため、蛍光灯で実現出来なかった、レンズカットに拠る照明装置に適した配光パターンに制御することができる、という利点がある。
【００３７】
また、内面反射部も透光性カバーに設けたレンズカットにより形成することで、追加の部品を設けることなく照明装置取付け面への照射を図ることができ、コストアップを抑制することができる。
【００３８】
なお、この発明は前述した実施形態に限られるものではない。例えば、ＬＥＤ素子１を複数個密接配置したものを光源として用いたり、出射側レンズカット７を入射側レンズカット５を設けた領域に対し複数のカットを設ける場合や、筒部に拡散面を設けない場合等も本発明に包含される。本発明はその精神または主要な特徴から逸脱することなく他の様々な形で実施することができる。
【産業上の利用可能性】
【００３９】
本発明によれば、例えば地下水路、電気・電話の配線用洞道、地下鉄等の洞道照明灯を含むトンネル通路照明灯に適用できる。
【符号の説明】
【００４０】
１        ＬＥＤ素子
２        ＬＥＤ搭載基板
５        入射側レンズカット
６        入射側プリズム群
７        出射側レンズカット
８        出射側プリズム群
１０        トンネル用照明装置
１１        ＬＥＤ光源ユニット
１２        透光性カバー
１４        器具容器
１５        空気層
１７        レンズ素子部
１８        内部空間
１９        点灯制御装置
８０        トンネル
８１        取付け具
８２        通路
８３        壁面
８４，８６        配光パターン
１２１    透光性カバー底部
１２２    筒部
１２３    内面反射部
１２４    主配光形成用領域
【図１】
2013201068.tif 000003
【図２】
2013201068.tif 000004
【図３】
2013201068.tif 000005
【図４】
2013201068.tif 000006
【図５】
2013201068.tif 000007
【図６】
2013201068.tif 000008
【図７】
2013201068.tif 000009
【図８】
2013201068.tif 000010
【図９】
2013201068.tif 000011